(57)【要約】【課題】支持フレームに補強部材を設置してディスプレイモジュールの強度を補強することにより、端末機をスリム化すると共に、外部からの衝撃によりディスプレイが破損することを防止でき、コネクタの接続時、ディスプレイに設置される部品が破損することを防止できるディスプレイモジュール及びこれを備えた携帯端末機を提供する。【解決手段】ディスプレイモジュールは、支持フレームと、支持フレームに装着されて情報を表示するディスプレイと、支持フレームに設置され、支持フレームの歪みを抑制して外部からの衝撃によりディスプレイが損傷することを防止する補強部材とを含む。【選択図】図２
2007025695.tif 000002
【特許請求の範囲】
【請求項１】
支持フレームと、
前記支持フレームに装着されて情報を表示するディスプレイと、
前記支持フレームに設置され、前記支持フレームの歪みを抑制して外部からの衝撃により前記ディスプレイが損傷することを防止する補強部材と、
を含むことを特徴とするディスプレイモジュール。
【請求項２】
前記補強部材が、前記支持フレームの一側に幅方向に設置されることを特徴とする請求項１に記載のディスプレイモジュール。
【請求項３】
前記支持フレームに、前記補強部材が収容されるように、前記補強部材の厚さだけ凹んだ補強部材収容部が形成されることを特徴とする請求項１に記載のディスプレイモジュール。
【請求項４】
前記補強部材が、前記補強部材収容部に接着固定されることを特徴とする請求項３に記載のディスプレイモジュール。
【請求項５】
前記補強部材は、その長手方向に沿って折曲される折曲部が形成されて、前記支持フレームの幅方向の側面に配置されることを特徴とする請求項１に記載のディスプレイモジュール。
【請求項６】
前記補強部材が、金属材で形成されることを特徴とする請求項１に記載のディスプレイモジュール。
【請求項７】
前記ディスプレイが、
前記支持フレームの一面に装着される第１ディスプレイと、
前記支持フレームの他面に装着される第２ディスプレイとから構成され、
前記第１ディスプレイと前記第２ディスプレイとが、フレキシブルプリント基板により電気的に接続されることを特徴とする請求項１に記載のディスプレイモジュール。
【請求項８】
前記第１ディスプレイ及び前記第２ディスプレイと前記補強部材が、グランド接続されることを特徴とする請求項７に記載のディスプレイモジュール。
【請求項９】
前記フレキシブルプリント基板の一側に、グランド接続のためのグランドラインが接続され、前記グランドラインの端部に、グランド端子が接続され、前記グランド端子は、前記補強部材が収容される補強部材収容部に配置されて前記補強部材に接触することを特徴とする請求項８に記載のディスプレイモジュール。
【請求項１０】
前記補強部材収容部に、前記グランド端子が収容されるグランド端子収容部が形成されることを特徴とする請求項９に記載のディスプレイモジュール。
【請求項１１】
前記フレキシブルプリント基板の一面に、ディスプレイ駆動素子が装着され、前記フレキシブルプリント基板の他面に、コネクタが装着され、前記補強部材が、前記コネクタと前記ディスプレイ駆動素子との間に設置されることを特徴とする請求項７に記載のディスプレイモジュール。
【請求項１２】
第１本体と、前記第１本体に開閉可能に装着される第２本体と、前記第１本体に装着されるディスプレイモジュールとを含み、
前記ディスプレイモジュールは、
前記第１本体の内部に装着される支持フレームと、
前記支持フレームに装着され、前記第１本体の外部に露出するように配置されるディスプレイと、
前記支持フレームに設置され、前記支持フレームの歪みを抑制して外部からの衝撃により前記ディスプレイが損傷することを防止する補強部材と、
を含むことを特徴とする携帯端末機。
【請求項１３】
前記補強部材が、前記支持フレームの一側に幅方向に設置されることを特徴とする請求項１２に記載の携帯端末機。
【請求項１４】
前記支持フレームに、前記補強部材が収容されるように、前記補強部材の厚さだけ凹んだ補強部材収容部が形成されることを特徴とする請求項１２に記載の携帯端末機。
【請求項１５】
前記補強部材が、前記補強部材収容部に接着固定されることを特徴とする請求項１４に記載の携帯端末機。
【請求項１６】
前記補強部材は、その長手方向に沿って折曲される折曲部が形成されて、前記支持フレームの幅方向の側面に配置されることを特徴とする請求項１２に記載の携帯端末機。
【請求項１７】
前記補強部材が、金属材で形成されることを特徴とする請求項１２に記載の携帯端末機。
【請求項１８】
前記ディスプレイが、
前記支持フレームの一面に装着される第１ディスプレイと、
前記支持フレームの他面に装着される第２ディスプレイとから構成され、
前記第１ディスプレイと前記第２ディスプレイとが、フレキシブルプリント基板により電気的に接続されることを特徴とする請求項１２に記載の携帯端末機。
【請求項１９】
前記第１ディスプレイ及び前記第２ディスプレイと前記補強部材が、グランド接続されることを特徴とする請求項１８に記載の携帯端末機。
【請求項２０】
前記フレキシブルプリント基板の一側に、グランド接続のためのグランドラインが接続され、前記グランドラインの端部に、グランド端子が接続され、前記グランド端子は、前記補強部材が収容される補強部材収容部に配置されて前記補強部材に接触することを特徴とする請求項１９に記載の携帯端末機。
【請求項２１】
前記補強部材収容部に、前記グランド端子が収容されるグランド端子収容部が形成されることを特徴とする請求項２０に記載の携帯端末機。
【請求項２２】
前記フレキシブルプリント基板の一面に、ディスプレイ駆動素子が装着され、前記フレキシブルプリント基板の他面に、コネクタが装着され、前記補強部材が、前記コネクタと前記ディスプレイ駆動素子との間に設置されることを特徴とする請求項１８に記載の携帯端末機。
【発明の詳細な説明】
【技術分野】
【０００１】
本発明は、ディスプレイモジュール及びこれを備えた携帯端末機に関し、特に、スリム化を図ると共に強度を補強してディスプレイの破損を防止できるディスプレイモジュール及びこれを備えた携帯端末機に関する。
【背景技術】
【０００２】
図７は従来のディスプレイモジュールの前面を示す斜視図であり、図８は従来のディスプレイモジュールの背面を示す斜視図である。
【０００３】
図７及び図８に示すように、従来のディスプレイモジュール１０２は、携帯端末機（以下、端末機ともいう）のケース（図示せず）に装着される支持フレーム１１０と、支持フレーム１１０の一面に装着されて前記端末機の蓋部の内面に装着され、前記端末機が開いた状態で外部に露出して情報を表示する第１ディスプレイ１１２と、支持フレーム１１０の他面に装着されて前記端末機の蓋部の外面に外部に露出するように装着され、前記端末機が閉じた状態で情報を表示する第２ディスプレイ１１４とから構成される。
【０００４】
支持フレーム１１０の一側には、第１ディスプレイ１１２及び第２ディスプレイ１１４に電気的に接続されるフレキシブルプリント基板（Ｆｌｅｘｉｂｌｅ  Ｐｒｉｎｔｅｄ  Ｃｉｒｃｕｉｔ  Ｂｏａｒｄ）１１６が装着される。
【０００５】
フレキシブルプリント基板１１６は、その中央が支持フレーム１１０の縁部で折曲されて、その一側は支持フレーム１１０の一面に位置して第１ディスプレイ１１２に電気的に接続され、その他側は支持フレーム１１０の他面に位置して第２ディスプレイ１１４に電気的に接続される。
【０００６】
また、フレキシブルプリント基板１１６の一面には、第１ディスプレイ１１２及び第２ディスプレイ１１４を駆動させるディスプレイ駆動素子１２０が設置され、フレキシブルプリント基板１１６の他面には、前記端末機の本体部に装着されたメインプリント基板（Ｍａｉｎ  Ｐｒｉｎｔｅｄ  Ｃｉｒｃｕｉｔ  Ｂｏａｒｄ）に接続されるコネクタ１２２が装着される。
【発明の開示】
【発明が解決しようとする課題】
【０００７】
しかし、このような従来のディスプレイモジュールにおいては、端末機のスリム化によりディスプレイモジュールがスリム化することによって、外部からの衝撃によりディスプレイが破損しやすいという問題があった。
【０００８】
また、ディスプレイモジュールがスリム化することによって、メインプリント基板に接続するためにコネクタを接続するとき、コネクタに加えられる圧力により、コネクタの背面に配置されたディスプレイ駆動素子が破損するという問題があった。
【０００９】
本発明は、このような従来技術の問題を解決するためになされたもので、支持フレームに補強部材を設置してディスプレイモジュールの強度を補強することにより、端末機をスリム化すると共に、外部からの衝撃によりディスプレイが破損することを防止でき、コネクタの接続時、ディスプレイに設置される部品が破損することを防止できるディスプレイモジュール及びこれを備えた携帯端末機を提供することを目的とする。
【課題を解決するための手段】
【００１０】
このような目的を達成するために、本発明によるディスプレイモジュールは、支持フレームと、前記支持フレームに装着されて情報を表示するディスプレイと、前記支持フレームに設置され、前記支持フレームの歪みを抑制して外部からの衝撃により前記ディスプレイが損傷することを防止する補強部材とを含むことを特徴とする。
【００１１】
前記補強部材は、前記支持フレームの一側に幅方向に設置されることを特徴とする。
【００１２】
前記支持フレームには、前記補強部材が収容されるように、前記補強部材の厚さだけ凹んだ補強部材収容部が形成されることを特徴とする。
【００１３】
前記補強部材は、前記補強部材収容部に接着固定されることを特徴とする。
【００１４】
前記補強部材は、その長手方向に沿って折曲される折曲部が形成されて、前記支持フレームの幅方向の側面に配置されることを特徴とする。
【００１５】
前記ディスプレイは、前記支持フレームの一面に装着される第１ディスプレイと、前記支持フレームの他面に装着される第２ディスプレイとから構成され、前記第１ディスプレイと前記第２ディスプレイとは、フレキシブルプリント基板により電気的に接続されることを特徴とする。
【００１６】
前記フレキシブルプリント基板の一側には、グランド接続のためのグランドラインが接続され、前記グランドラインの端部には、グランド端子が接続され、前記グランド端子は、前記補強部材が収容される補強部材収容部に配置されて前記補強部材に接触することを特徴とする。
【００１７】
前記フレキシブルプリント基板の一面には、ディスプレイ駆動素子が装着され、前記フレキシブルプリント基板の他面には、コネクタが装着され、前記補強部材は、前記コネクタと前記ディスプレイ駆動素子との間に設置されることを特徴とする。
【００１８】
また、本発明による携帯端末機は、第１本体と、前記第１本体に開閉可能に装着される第２本体と、前記第１本体に装着されるディスプレイモジュールとを含み、前記ディスプレイモジュールは、前記第１本体の内部に装着される支持フレームと、前記支持フレームに装着され、前記第１本体の外部に露出するように配置されるディスプレイと、前記支持フレームに設置され、前記支持フレームの歪みを抑制して外部からの衝撃により前記ディスプレイが損傷することを防止する補強部材とを含むことを特徴とする。
【００１９】
上記目的を達成するために、本発明は、例えば、以下の手段を提供する。
（項目１）
支持フレームと、
前記支持フレームに装着されて情報を表示するディスプレイと、
前記支持フレームに設置され、前記支持フレームの歪みを抑制して外部からの衝撃により前記ディスプレイが損傷することを防止する補強部材と、
を含むことを特徴とするディスプレイモジュール。
（項目２）
前記補強部材が、前記支持フレームの一側に幅方向に設置されることを特徴とする項目１に記載のディスプレイモジュール。
（項目３）
前記支持フレームに、前記補強部材が収容されるように、前記補強部材の厚さだけ凹んだ補強部材収容部が形成されることを特徴とする項目１に記載のディスプレイモジュール。
（項目４）
前記補強部材が、前記補強部材収容部に接着固定されることを特徴とする項目３に記載のディスプレイモジュール。
（項目５）
前記補強部材は、その長手方向に沿って折曲される折曲部が形成されて、前記支持フレームの幅方向の側面に配置されることを特徴とする項目１に記載のディスプレイモジュール。
（項目６）
前記補強部材が、金属材で形成されることを特徴とする項目１に記載のディスプレイモジュール。
（項目７）
前記ディスプレイが、
前記支持フレームの一面に装着される第１ディスプレイと、
前記支持フレームの他面に装着される第２ディスプレイとから構成され、
前記第１ディスプレイと前記第２ディスプレイとが、フレキシブルプリント基板により電気的に接続されることを特徴とする項目１に記載のディスプレイモジュール。
（項目８）
前記第１ディスプレイ及び前記第２ディスプレイと前記補強部材が、グランド接続されることを特徴とする項目７に記載のディスプレイモジュール。
（項目９）
前記フレキシブルプリント基板の一側に、グランド接続のためのグランドラインが接続され、前記グランドラインの端部に、グランド端子が接続され、前記グランド端子は、前記補強部材が収容される補強部材収容部に配置されて前記補強部材に接触することを特徴とする項目８に記載のディスプレイモジュール。
（項目１０）
前記補強部材収容部に、前記グランド端子が収容されるグランド端子収容部が形成されることを特徴とする項目９に記載のディスプレイモジュール。
（項目１１）
前記フレキシブルプリント基板の一面に、ディスプレイ駆動素子が装着され、前記フレキシブルプリント基板の他面に、コネクタが装着され、前記補強部材が、前記コネクタと前記ディスプレイ駆動素子との間に設置されることを特徴とする項目７に記載のディスプレイモジュール。
（項目１２）
第１本体と、前記第１本体に開閉可能に装着される第２本体と、前記第１本体に装着されるディスプレイモジュールとを含み、
前記ディスプレイモジュールは、
前記第１本体の内部に装着される支持フレームと、
前記支持フレームに装着され、前記第１本体の外部に露出するように配置されるディスプレイと、
前記支持フレームに設置され、前記支持フレームの歪みを抑制して外部からの衝撃により前記ディスプレイが損傷することを防止する補強部材と、
を含むことを特徴とする携帯端末機。
（項目１３）
前記補強部材が、前記支持フレームの一側に幅方向に設置されることを特徴とする項目１２に記載の携帯端末機。
（項目１４）
前記支持フレームに、前記補強部材が収容されるように、前記補強部材の厚さだけ凹んだ補強部材収容部が形成されることを特徴とする項目１２に記載の携帯端末機。
（項目１５）
前記補強部材が、前記補強部材収容部に接着固定されることを特徴とする項目１４に記載の携帯端末機。
（項目１６）
前記補強部材は、その長手方向に沿って折曲される折曲部が形成されて、前記支持フレームの幅方向の側面に配置されることを特徴とする項目１２に記載の携帯端末機。
（項目１７）
前記補強部材が、金属材で形成されることを特徴とする項目１２に記載の携帯端末機。
（項目１８）
前記ディスプレイが、
前記支持フレームの一面に装着される第１ディスプレイと、
前記支持フレームの他面に装着される第２ディスプレイとから構成され、
前記第１ディスプレイと前記第２ディスプレイとが、フレキシブルプリント基板により電気的に接続されることを特徴とする項目１２に記載の携帯端末機。
（項目１９）
前記第１ディスプレイ及び前記第２ディスプレイと前記補強部材が、グランド接続されることを特徴とする項目１８に記載の携帯端末機。
（項目２０）
前記フレキシブルプリント基板の一側に、グランド接続のためのグランドラインが接続され、前記グランドラインの端部に、グランド端子が接続され、前記グランド端子は、前記補強部材が収容される補強部材収容部に配置されて前記補強部材に接触することを特徴とする項目１９に記載の携帯端末機。
（項目２１）
前記補強部材収容部に、前記グランド端子が収容されるグランド端子収容部が形成されることを特徴とする項目２０に記載の携帯端末機。
（項目２２）
前記フレキシブルプリント基板の一面に、ディスプレイ駆動素子が装着され、前記フレキシブルプリント基板の他面に、コネクタが装着され、前記補強部材が、前記コネクタと前記ディスプレイ駆動素子との間に設置されることを特徴とする項目１８に記載の携帯端末機。
【発明の効果】
【００２０】
本発明によるディスプレイモジュールは、支持フレームの幅方向に補強部材を設置することにより、支持フレームの歪みを抑制して外部からの衝撃により第１ディスプレイ及び第２ディスプレイが変形及び損傷することを防止できるという効果がある。
【００２１】
また、補強部材をコネクタとディスプレイ駆動素子との間に配置することにより、コネクタの接続時、ディスプレイ駆動素子が損傷することを防止できるという効果がある。
【発明を実施するための最良の形態】
【００２２】
以下、添付の図面を参照して、本発明によるディスプレイモジュール及びこれを備えた携帯端末機の好ましい実施形態を説明する。
【００２３】
図１は本発明の一実施形態による携帯端末機の斜視図であり、図２は本発明の一実施形態によるディスプレイモジュールの分解斜視図であり、図３は本発明の一実施形態によるディスプレイモジュールの斜視図であり、図４は図３のＡ−Ａ線断面図である。
【００２４】
図１〜図４に示すように、本発明の一実施形態による携帯端末機は、その内部に情報を表示するディスプレイモジュール３０が装着される第１本体１０と、第１本体１０のヒンジ軸１２により回動可能に連結され、その前面には情報を入力するためのキーパッド２２が装着され、その背面にはバッテリ２４が装着される第２本体２０とから構成される。
【００２５】
第１本体１０には、サウンドを発生させるスピーカ１４が装着され、第２本体２０には、音波を電気信号に変換するマイク２６が装着される。
【００２６】
ディスプレイモジュール３０は、第１本体１０の内部に固定される支持フレーム３２と、支持フレーム３２の表面に装着されて情報を表示するディスプレイ３４、３６と、支持フレーム３２に設置され、支持フレーム３２の強度を補強して外部からの衝撃によりディスプレイ３４、３６が損傷することを防止する補強部材４０とから構成される。
【００２７】
支持フレーム３２は、合成樹脂材で形成され、端末機の小型化、スリム化によって、その厚さが比較的薄い（約３．２ｍｍ以下）。
【００２８】
ディスプレイ３４、３６は、支持フレーム３２の一面に装着されて第１本体１０の内面に装着され、第１本体１０が開いた状態で情報を表示する第１ディスプレイ３４と、支持フレーム３２の他面に装着されて第１本体１０の外面に外部に露出するように装着されて情報を表示する第２ディスプレイ３６とから構成される。
【００２９】
第１ディスプレイ３４及び第２ディスプレイ３６は、その厚さが比較的薄くて（約０．９５〜１ｍｍ）、第１ディスプレイ３４が第２ディスプレイ３６より大きく形成される。
【００３０】
支持フレーム３２の一側には、第１ディスプレイ３４と第２ディスプレイ３６とを電気的に接続するフレキシブルプリント基板４２が装着される。フレキシブルプリント基板４２は、その一端が支持フレーム３２の一面に取り付けられて第１ディスプレイ３４に電気的に接続され、支持フレーム３２の縁部で折曲されてその他端は支持フレーム３２の他面に取り付けられて第２ディスプレイ３６に接続される。ここで、フレキシブルプリント基板４２は、支持フレーム３２に両面接着テープ４６により接着することが好ましい。
【００３１】
フレキシブルプリント基板４２の一面には、第２本体２０に装着されたメインプリント基板に電気的に接続されるコネクタ５０が装着され、フレキシブルプリント基板４２の他面には、第１ディスプレイ３４及び第２ディスプレイ３６を駆動させるディスプレイ駆動素子４８が設置される。
【００３２】
補強部材４０は、支持フレーム３２の一側の縁部に幅方向に設置され、支持フレーム３２の歪みを抑制する。
【００３３】
支持フレーム３２には、補強部材４０が支持フレーム３２に設置されることによって支持フレーム３２の厚さが増加することを防止するために、凹んだ補強部材収容部６０が形成される。補強部材収容部６０は、支持フレーム３２の一側の縁部に幅方向に形成される。
【００３４】
補強部材４０は、強度を補強できる金属製のプレート状に形成され、その一側は長手方向に沿って直角に折曲されて支持フレーム３２の側面に配置される。
【００３５】
このような補強部材４０は、補強部材収容部６０に接着固定されるが、特に、両面接着テープ５２により補強部材収容部６０に固定されることが好ましい。
【００３６】
補強部材収容部６０の凹みの深さは、補強部材４０が設置されることによって支持フレーム３２の厚さが増加しないように、補強部材４０の厚さ（約０．１５ｍｍ）と両面接着テープ５２の厚さ（約０．１ｍｍ）とを加算した厚さ（約０．２５ｍｍ）に形成されることが好ましい。
【００３７】
補強部材４０は、フレキシブルプリント基板４２の内側に設置され、コネクタ５０とディスプレイ駆動素子４８との間に設置されることが好ましい。このように、補強部材４０がコネクタ５０とディスプレイ駆動素子４８との間に配置されるため、コネクタ５０を接続するためにコネクタ５０を押す力がディスプレイ駆動素子４８に伝達されることを防止して、コネクタ５０の接続時、ディスプレイ駆動素子４８が破損することを防止できる。
【００３８】
このように、支持フレーム３２に支持フレーム３２の幅方向に補強部材４０を設置することにより、支持フレーム３２の歪みを抑制して外部からの衝撃によりディスプレイ３４、３６が変形及び損傷することを防止でき、補強部材４０をコネクタ５０とディスプレイ駆動素子４８との間に配置することにより、コネクタ５０の接続時、ディスプレイ駆動素子４８が損傷することを防止できる。
【００３９】
図５は本発明の第２実施形態によるディスプレイモジュールの分解斜視図であり、図６は本発明の第２実施形態によるディスプレイモジュールの一部断面図である。
【００４０】
本発明の第２実施形態によるディスプレイモジュール３０は、第１本体１０の内部に固定される支持フレーム３２と、支持フレーム３２の表面に装着されて情報を表示する第１ディスプレイ３４及び第２ディスプレイ３６と、支持フレーム３２に設置され、支持フレーム３２の強度を補強して外部からの衝撃により第１及び第２ディスプレイ３４、３６が損傷することを防止する補強部材４０と、第１ディスプレイ３４と第２ディスプレイ３６とを電気的に接続するフレキシブルプリント基板４２と、補強部材４０と第１及び第２ディスプレイ３４、３６をグランド接続するグランド端子６６とから構成される。
【００４１】
支持フレーム３２及び補強部材４０の構造は、前述した一実施形態と同様であるので、その説明を省略する。
【００４２】
フレキシブルプリント基板４２の一側には、グランドライン６４が形成され、グランドライン６４の端部には、グランド端子６６が形成される。グランド端子６６は、補強部材４０が収容される補強部材収容部６０に配置されて補強部材４０に接触し、補強部材４０と第１及び第２ディスプレイ３４、３６のグランド接続を行う。
【００４３】
補強部材収容部６０には、グランド端子６６が収容されるように凹んだグランド端子収容部６２が形成される。
【００４４】
このように、本発明の第２実施形態によるディスプレイモジュールにおいては、第１ディスプレイ３４及び第２ディスプレイ３６がグランド端子６６により金属材で形成される補強部材４０にグランド接続される。
【００４５】
以上、本明細書においては、第１本体１０と第２本体２０とが回動可能に連結される折り畳み型携帯端末機の場合を説明したが、本発明は、これに限定されるものではなく、１つの端末機本体で構成されるストレート型、第１本体と第２本体とがスライド可能に連結されるスライド型、第１本体と第２本体とが回転可能に連結される回転型など、いかなる構造の携帯端末機にも適用可能である。
【００４６】
支持フレームに補強部材を設置してディスプレイモジュールの強度を補強することにより、端末機をスリム化すると共に、外部からの衝撃によりディスプレイが破損することを防止でき、コネクタの接続時、ディスプレイに設置される部品が破損することを防止できるディスプレイモジュール及びこれを備えた携帯端末機を提供する。
【００４７】
ディスプレイモジュールは、支持フレームと、支持フレームに装着されて情報を表示するディスプレイと、支持フレームに設置され、支持フレームの歪みを抑制して外部からの衝撃によりディスプレイが損傷することを防止する補強部材とを含む。
【００４８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４９】
【図１】本発明の一実施形態による携帯端末機の斜視図である。
【図２】本発明の一実施形態によるディスプレイモジュールの分解斜視図である。
【図３】本発明の一実施形態によるディスプレイモジュールの斜視図である。
【図４】図３のＡ−Ａ線断面図である。
【図５】本発明の第２実施形態によるディスプレイモジュールの分解斜視図である。
【図６】本発明の第２実施形態によるディスプレイモジュールの一部断面図である。
【図７】従来のディスプレイモジュールの前面を示す斜視図である。
【図８】従来のディスプレイモジュールの背面を示す斜視図である。
【符号の説明】
【００５０】
１０  第１本体
２０  第２本体
３０  ディスプレイモジュール
３２  支持フレーム
３４  第１ディスプレイ
３６  第２ディスプレイ
４０  補強部材
４２  フレキシブルプリント基板
４６  両面接着テープ
４８  ディスプレイ駆動素子
５０  コネクタ
５２  両面接着テープ
６０  補強部材収容部
【図１】
2007025695.tif 000003
【図２】
2007025695.tif 000004
【図３】
2007025695.tif 000005
【図４】
2007025695.tif 000006
【図５】
2007025695.tif 000007
【図６】
2007025695.tif 000008
【図７】
2007025695.tif 000009
【図８】
2007025695.tif 000010